(57)【特許請求の範囲】
【請求項１】
無線通信端末とのＭ２Ｍ（Machine  to  Machine）通信に係る信号処理を行う第１の信号処理カードと、
無線通信端末との前記Ｍ２Ｍ通信以外の一般通信に係る信号処理を行う第２の信号処理カードと、
無線通信端末から受信した該無線通信端末の利用者識別子から、該無線通信端末との通信の種別が前記Ｍ２Ｍ通信か否かを判定する判定部と、
前記判定部により、通信の種別が前記Ｍ２Ｍ通信であると判定された無線通信端末との該Ｍ２Ｍ通信に係る信号処理を前記第１の信号処理カードへ割り当て、通信の種別が前記一般通信であると判定された無線通信端末との該一般通信に係る信号処理を前記第２の信号処理カードへ割り当てる制御部と、
前記第１の信号処理カードに前記Ｍ２Ｍ通信に係る信号処理が割り当てられているか否かに関わらず、前記第１の信号処理カードに電源を投入し、前記第２の信号処理カードに前記一般通信に係る信号処理が割り当てられている場合に、該第２の信号処理カードに電源を投入し、該第２の信号処理カードに前記一般通信に係る信号処理が割り当てられていない場合に、該第２の信号処理カードへの電源を遮断する電源制御部と
を備えることを特徴とする基地局装置。
【請求項２】
前記Ｍ２Ｍ通信を行う無線通信端末の利用者識別子を記憶する記憶部
をさらに備え、
前記判定部は、無線通信端末から受信した利用者識別子が前記記憶部に記憶されている場合、または、無線通信端末から受信した利用者識別子が前記Ｍ２Ｍ通信を行うＭ２Ｍ端末へマッピングされていると上位装置から通知された場合に、該無線通信端末との通信の種別が前記Ｍ２Ｍ通信であると判定する
ことを特徴とする請求項１に記載の基地局装置。
【請求項３】
前記第１の信号処理カードにおける処理呼量の実測値または予測値に応じて前記第１の信号処理カードの数を決定する決定部
をさらに備え、
前記制御部は、前記決定部により決定された数の前記第１の信号処理カードのいずれかへ、前記判定部により通信の種別が前記Ｍ２Ｍ通信であると判定された無線通信端末との該Ｍ２Ｍ通信に係る信号処理を割り当てる
ことを特徴とする請求項１または２に記載の基地局装置。
【請求項４】
前記制御部は、前記第２の信号処理カードにおいて、前記一般通信に係る信号処理量が前記第２の信号処理カードが処理可能な呼量の最大値に達している場合には、新たな前記一般通信に係る信号処理を前記第１の信号処理カードへ割り当てる
ことを特徴とする請求項１、２または３に記載の基地局装置。
【請求項５】
前記第１の信号処理カードおよび前記第２の信号処理カードとは別の、電源が常時投入されている予備カード
をさらに備え、
前記制御部は、前記第１の信号処理カードにおいて、前記Ｍ２Ｍ通信に係る信号処理量が前記第１の信号処理カードが処理可能な呼量の最大値に達している場合には、新たな前記Ｍ２Ｍ通信に係る信号処理を、前記予備カードへ割り当てる
ことを特徴とする請求項１〜４のいずれか１つに記載の基地局装置。
【発明の詳細な説明】
【技術分野】
【０００１】
本発明は、基地局装置に関する。
【背景技術】
【０００２】
従来から、キャリア無線通信における基地局装置は、呼処理にかかる信号処理を行う処理カードを有する。それぞれの処理カードは、複数の呼処理にかかる信号処理を実行することができる。基地局装置は、それぞれの処理カードへの呼の割り当てに際し、極力少ない処理カードに呼処理を集中して割り当てる。これにより、基地局装置は、呼処理が割り当てられていない処理カードの電源をオフにすることができ、消費電力を抑制することができる。
【先行技術文献】
【特許文献】
【０００３】
【特許文献１】特開２００４−２３５９６９号公報
【特許文献２】特開２００９−０６０１７１号公報
【特許文献３】特開２００３−３４７９８５号公報
【特許文献４】特開２００７−１３４８４０号公報
【発明の概要】
【発明が解決しようとする課題】
【０００４】
近年、機器同士が自律的に通信を行うＭ２Ｍ（Machine  to  Machine、以下、Ｍ２Ｍ通信と呼ぶ）が普及し、無線通信分野においても、Ｍ２Ｍ通信を行う端末が増えてきている。Ｍ２Ｍ通信の呼（以下、Ｍ２Ｍ呼と呼ぶ）は、データ量が少ないため、処理カードにおける呼処理自体は短時間で終了する。しかし、Ｍ２Ｍ呼は、多くの端末から同時に発呼されることが多い。このため、多くのＭ２Ｍ呼が処理カードへ同時に割り当てられ、Ｍ２Ｍ呼により処理カードが占有された後、呼処理が短時間で終了する。
【０００５】
ここで、基地局装置は、Ｍ２Ｍ呼および一般呼を識別せずに処理カードへ割り当てると、処理カードを次々と起動させ、複数の処理カードにおいてＭ２Ｍ呼の呼処理の終了後に一般呼の呼処理を継続させてしまう場合がある。よって、従来技術の基地局装置における消費電力抑制方法は、複数の処理カードにおいて、一般呼の呼処理が継続中のため、電源をオフできず、基地局装置による消費電力を低減させることが困難であるという問題がある。
【０００６】
本願が開示する技術は、基地局装置における消費電力を低減することを目的とする。
【課題を解決するための手段】
【０００７】
１つの側面では、基地局装置は、第１の信号処理カード、第２の信号処理カード、判定部、および制御部を備える。第１の信号処理カードは、無線通信端末とのＭ２Ｍ通信に係る信号処理を行う。第２の信号処理カードは、無線通信端末とのＭ２Ｍ通信以外の一般通信に係る信号処理を行う。判定部は、無線通信端末から受信した無線通信端末の利用者識別子から、無線通信端末との通信の種別がＭ２Ｍ通信か否かを判定する。制御部は、判定部により、通信の種別がＭ２Ｍ通信であると判定された無線通信端末とのＭ２Ｍ通信に係る信号処理を第１の信号処理カードへ割り当てる。また、制御部は、通信の種別が一般通信であると判定された無線通信端末との一般通信に係る信号処理を第２の信号処理カードへ割り当てる。
【発明の効果】
【０００８】
１つの側面によれば、基地局装置における消費電力を低減できる。
【図面の簡単な説明】
【０００９】
【図１Ａ】図１Ａは、実施形態１に係る基地局装置の一例を示すブロック図である。
【図１Ｂ】図１Ｂは、ＩＭＳＩのデータフォーマットの一例を示す図である。
【図１Ｃ】図１Ｃは、実施形態１に係るＩＭＳＩ記憶テーブルの一例を示す図である。
【図２】図２は、実施形態１に係る位置登録処理の一例を示すシーケンス図である。
【図３】図３は、実施形態１に係るＭ２Ｍ端末判定処理の一例を示すフローチャートである。
【図４】図４は、実施形態１に係るＵＥ識別子取得処理の一例を示すフローチャートである。
【図５】図５は、実施形態１に係る呼処理の一例を示す説明図である。
【図６Ａ】図６Ａは、実施形態２に係る基地局装置の一例を示すブロック図である。
【図６Ｂ】図６Ｂは、実施形態２に係るＭ２Ｍカード枚数制御テーブルの一例を示す図である。
【図７】図７は、実施形態２に係るＭ２Ｍカード枚数制御処理の一例を示すフローチャートである。
【図８】図８は、実施形態２に係るＭ２Ｍカード枚数制御処理の一例を示す説明図である。
【図９】図９は、実施形態２のその他の形態に係るＭ２Ｍカード枚数制御テーブルの一例を示す図である。
【図１０】図１０は、実施形態２のその他の形態に係るＭ２Ｍカード枚数制御処理の一例を示す説明図である。
【図１１】図１１は、実施形態３に係る基地局装置の一例を示すブロック図である。
【図１２】図１２は、実施形態３に係る呼割当処理の一例を示すフローチャートである。
【図１３Ａ】図１３Ａは、実施形態３に係る呼割当処理の一例を示す説明図である。
【図１３Ｂ】図１３Ｂは、実施形態３に係る呼割当処理の一例を示す説明図である。
【図１３Ｃ】図１３Ｃは、実施形態３に係る呼割当処理の一例を示す説明図である。
【図１３Ｄ】図１３Ｄは、実施形態３に係る呼割当処理の一例を示す説明図である。
【図１３Ｅ】図１３Ｅは、実施形態３に係る呼割当処理の一例を示す説明図である。
【図１４】図１４は、実施形態４に係る基地局装置の一例を示すブロック図である。
【図１５】図１５は、実施形態４に係る処理呼移行処理の一例を示すフローチャートである。
【図１６Ａ】図１６Ａは、実施形態４に係る処理呼移行処理の一例を示す説明図である。
【図１６Ｂ】図１６Ｂは、実施形態４に係る処理呼移行処理の一例を示す説明図である。
【図１７Ａ】図１７Ａは、実施形態５に係る基地局装置の一例を示すブロック図である。
【図１７Ｂ】図１７Ｂは、実施形態５に係る処理呼量増加率記憶テーブルの一例を示す図である。
【図１８Ａ】図１８Ａは、実施形態５に係る処理呼量増加率算出処理の一例を示すフローチャートである。
【図１８Ｂ】図１８Ｂは、実施形態５に係る閾値設定処理の一例を示すフローチャートである。
【発明を実施するための形態】
【００１０】
以下に、本願が開示する基地局装置の実施形態を、図面に基づいて詳細に説明する。なお、以下の実施形態は開示の技術を限定するものではない。そして、各実施形態は、矛盾しない範囲で適宜組み合わせてもよい。以下の各実施形態は、ＬＴＥ（Long  Term  Evolution、登録商標）に準拠して行う通信を例に説明する。しかし、通信方式はＬＴＥに限らず、Ｍ２Ｍ通信を行うことが可能な通信であれば、いずれに準拠した通信であっても、開示の技術は適用できる。
【００１１】
［実施形態１］
実施形態１において、基地局装置は、Ｍ２Ｍ通信を行うＭ２Ｍ端末からの呼を処理する専用の処理カード（以下、Ｍ２Ｍカードと呼ぶ）と、Ｍ２Ｍ呼以外の呼（以下、一般呼と呼ぶ）を処理する処理カード（以下、一般カードと呼ぶ）とを有する。Ｍ２Ｍ端末は、ＭＴＣ（Machine  Type  Communication）端末とも呼ばれる。実施形態１において、基地局装置は、ＵＥ（User  Equipment、ユーザ端末）との通信に係る呼処理に際し、常時電源が投入されているＭ２ＭカードによりＭ２Ｍ呼を呼処理する。また、基地局装置は、呼処理を行うときに電源が投入され、呼処理を行っていないとき電源が遮断される一般カードにより一般呼を呼処理する。
【００１２】
（実施形態１に係る基地局装置）
図１Ａは、実施形態１に係る基地局装置の一例を示すブロック図である。図１は、実施形態１に係る基地局装置１０Ａのうち、実施形態１に係るブロックのみを図示し、その他のブロックを省略している。
【００１３】
基地局装置１０Ａは、ＭＭＥ（Mobility  Management  Entity）等の上位装置２０と接続される。上位装置２０は、ＨＳＳ（Home  Subscriber  Server）２１等と接続される。ＨＳＳ２１は、基地局装置１０Ａを含むキャリアネットワークのユーザの認証および認可等を行うためのユーザ情報等を格納する。
【００１４】
ユーザ情報には、ＵＥ識別子とＩＭＳＩ（International  Mobile  Subscriber  Identity）とが対応付けられたマッピング情報を有する。図１Ｂは、ＩＭＳＩのデータフォーマットの一例を示す図である。ＩＭＳＩは、それぞれのＵＥを識別する情報であり、例えば図１Ｂに示すようなフォーマットのデータである。ＩＭＳＩは、利用者識別子の一例である。ＵＥ識別子は、対応するＩＭＳＩのＵＥがＭ２Ｍ通信を行う端末（以下、Ｍ２Ｍ端末と呼ぶ）であるか否かを示す情報を含む。すなわち、基地局装置１０Ａは、ＩＭＳＩに対応付けられたＵＥ識別子に基づいて、当該ＩＭＳＩに対応するＵＥがＭ２Ｍ端末であるか否かを判定することができる。なお、以下では、Ｍ２Ｍ端末以外の端末を、一般端末と呼ぶ。
【００１５】
基地局装置１０Ａは、例えば図１Ａに示すように、アンテナ１、無線送受信部１１、呼処理部１２Ａ、記憶部１３Ａ、伝送路送受信部１４、および信号処理部１５を有する。
【００１６】
無線送受信部１１は、信号処理部１５により出力された、図示しないＵＥへの下り信号に、所定の処理を実行した後、アンテナ１を介してＵＥへ送信する。また、無線送受信部１１は、アンテナ１を介して受信したＵＥからの上り信号に、所定の処理を実行した後、信号処理部１５へ出力する。なお、無線送受信部１１は、ＲＲＨ（Remote  Radio  Head）等を用いてもよい。
【００１７】
呼処理部１２Ａは、サービス種別判定部１２ａ、呼制御部１２ｂ、およびカード監視部１２ｃを有する。呼処理部１２Ａは、例えばＣＰＵ（Central  Processing  Unit）等を搭載する処理カードにより実現される。サービス種別判定部１２ａは、基地局装置１０ＡがＵＥと通信を行う際に、ＵＥから送信されたアタッチリクエストに含まれるＵＥのＩＭＳＩをもとに、当該ＵＥがＭ２Ｍ通信を行うＭ２Ｍ端末か否かを判定する。
【００１８】
例えば、サービス種別判定部１２ａは、ＵＥから送信されたＩＭＳＩをもとに記憶部１３Ａを参照する。そして、サービス種別判定部１２ａは、後述の記憶部１３ＡのＩＭＳＩ記憶テーブル１３ａ内に、ＵＥから送信されたＩＭＳＩが記憶されている場合、当該ＵＥはＭ２Ｍ端末であり、当該ＵＥとの通信のサービス種別はＭ２Ｍサービスであると判定する。一方、サービス種別判定部１２ａは、記憶部１３ＡのＩＭＳＩ記憶テーブル１３ａ内に、ＵＥから送信されたＩＭＳＩが記憶されていない場合、当該ＵＥは一般端末であり、当該ＵＥとの通信のサービス種別は一般サービスであると判定する。
【００１９】
また、サービス種別判定部１２ａは、ＵＥから送信されたＩＭＳＩをもとに上位装置２０へ問合わせ、当該ＩＭＳＩに対応付けられたＵＥ識別子を上位装置２０から取得する。そして、サービス種別判定部１２ａは、上位装置２０から取得したＵＥ識別子が、Ｍ２Ｍ端末であることを示す場合に、ＩＭＳＩの送信元のＵＥとの通信のサービス種別がＭ２Ｍサービスであると判定する。そして、サービス種別判定部１２ａは、Ｍ２Ｍサービスと判定された通信を行うＵＥのＩＭＳＩを、ＩＭＳＩ記憶テーブル１３ａに保存する。
【００２０】
呼制御部１２ｂは、サービス種別判定部１２ａにより判定されたサービス種別がＭ２ＭサービスであるＭ２Ｍ端末の呼をＭ２Ｍカードへ割り当てる。また、呼制御部１２ｂは、サービス種別判定部１２ａにより判定されたサービス種別が一般サービスである一般端末の呼を一般カードへ割り当てる。なお、呼制御部１２ｂは、新規のＭ２Ｍ呼を割り当てるＭ２Ｍカードの処理中の呼量が処理可能な最大値に達している場合、新規のＭ２Ｍ呼を破棄するとしてもよい。また、呼制御部１２ｂは、新規の一般呼を割り当てる一般カードの処理中の呼量が処理可能な最大値に達している場合、新規の一般呼を破棄するとしてもよい。また、実施形態１では、呼制御部１２ｂは、後述するように、信号処理部１５が有する処理カードのうち、カード１５ａをＭ２Ｍカードに割り当て、カード１５ｂ〜１５ｄを一般カードに割り当て、カード１５ｅを予備カードに割り当てている。すなわち、基地局装置１０Ａは、いわゆるＮ＋１の処理カードを有する。
【００２１】
カード監視部１２ｃは、一般カードに割り当てられた処理中の一般呼の呼量を一般カード毎に監視する。カード監視部１２ｃは、処理中の一般呼の呼量が所定閾値（Ｔｈ１、チャネル閾値）以上となった一般カードを検出した場合、以降の新規一般呼を割り当てるために、電源が遮断されている他の一般カードの一つに電源を投入する。また、カード監視部１２ｃは、処理中の一般呼の呼処理が全て終了した一般カードの電源を遮断する。
【００２２】
記憶部１３Ａは、揮発性または不揮発性の記憶装置である。記憶部１３Ａは、ＩＭＳＩ記憶テーブル１３ａを格納する。図１Ｃは、実施形態１に係るＩＭＳＩ記憶テーブルの一例を示す図である。ＩＭＳＩ記憶テーブル１３ａは、図１Ｃに示すように、Ｍ２Ｍ端末のＩＭＳＩを記憶する。
【００２３】
伝送路送受信部１４は、上位装置２０からＵＥへの下り信号に対して、所定の処理を実行した後、信号処理部１５へ出力する。また、伝送路送受信部１４は、信号処理部１５により出力されたＵＥからの上り信号に対して、所定の処理を実行した後、上位装置２０へ出力する。伝送路送受信部１４は、例えばＮＷＰ（Network  Processor）等により実現される。
【００２４】
信号処理部１５は、カード１５ａ〜１５ｅを有する。カード１５ａ〜１５ｅは、例えばＤＳＰ（Digital  Signal  Processor）等を搭載する処理カードにより実現される。カード１５ａ〜１５ｅは、それぞれ、電源制御部１５ａ１〜１５ｅ１を有する。本実施形態において、カード１５ａは、Ｍ２Ｍカードであり、Ｍ２Ｍ通信の割り当ての有無にかかわらず、常時電源が投入されている。カード１５ａの電源制御部１５ａ１は、カード監視部１２ｃからの指示により、例えば基地局装置１０Ａの起動時に、カード１５ａに電源を投入する。
【００２５】
本実施形態において、カード１５ｂ〜１５ｄは、一般カードである。カード１５ｂ〜１５ｄの電源制御部１５ｂ１〜１５ｄ１のそれぞれは、カード監視部１２ｃからの指示により、カード１５ｂ〜１５ｄのそれぞれへ電源を投入および遮断する。
【００２６】
また、カード１５ｅは、例えば基地局装置１０Ａの起動時から常時電源が投入されている予備カードである。呼制御部１２ｂは、一般カードであるカード１５ｂ〜１５ｄの全てのカードにおいて呼処理中の呼量が、当該カードにおいて処理可能な呼量を示す処理制限量に至った場合、新規の一般呼を、予備カードであるカード１５ｅへ割り当てる。その後、呼制御部１２ｂは、一般カードであるカード１５ｂ〜１５ｄのいずれかのカードにおいて呼処理中の呼量が処理制限量を下回った場合、新規の一般呼を、呼処理中の呼量が処理制限量を下回った一般カードへ割り当てる。
【００２７】
なお、本実施形態において、信号処理部１５は、１枚のＭ２Ｍカード、３枚の一般カード、および１枚の予備カードを有するが、信号処理部１５が有するカードの枚数および内訳は、あくまで一例である。そのため、信号処理部１５が有するＭ２Ｍカード、一般カード、および予備カードのそれぞれの枚数は、１以上の任意の数であれば、いくつであってもよい。
【００２８】
（実施形態１に係る位置登録処理のシーケンス）
図２は、実施形態１に係る位置登録処理の一例を示すシーケンス図である。位置登録処理は、例えばＵＥ３０によるセルサーチの度に実行される。先ず、基地局装置１０Ａは、自エリア内の全てのＵＥ３０へ、ＭＩＢ（Master  Information  Block）を送信する（ステップＳ１１）。ＵＥ３０は、セルサーチ／セル測定を行（ステップＳ１２）、セル選択を行う（ステップＳ１３）。
【００２９】
次に、ＵＥ３０は、基地局装置１０Ａから送信されたＳＩＢ１，２，・・・（System  Information  Block）を受信する（ステップＳ１４）。そして、ＵＥ３０は、受信したＳＩＢから報知情報を抽出する（ステップＳ１５）。そして、ＵＥ３０は、基地局装置１０Ａとの接続処理へ移行する（ステップＳ１６）。
【００３０】
次に、ＵＥ３０は、Random  Access  Preambleを基地局装置１０Ａへ送信する（ステップＳ１７）。次に、ＵＥ３０からRandom  Access  Preambleを受信した基地局装置１０Ａは、ＵＥ３０との接続処理へ移行する（ステップＳ１８）。そして、基地局装置１０Ａは、Random  Access  ResponseをＵＥ３０へ送信する（ステップＳ１９）。
【００３１】
次に、基地局装置１０ＡからRandom  Access  Responseを受信したＵＥ３０は、ＲＲＣ（Radio  Resource  Control）処理へ移行する（ステップＳ２０）。次に、ＵＥ３０は、RRC  Connection  Requestを基地局装置１０Ａへ送信する（ステップＳ２１）。次に、基地局装置１０Ａは、RRC  Connection  SetupをＵＥ３０へ送信する（ステップＳ２２）。次に、ＵＥ３０は、RRC  Connection  Setup  Completeを基地局装置１０Ａへ送信する（ステップＳ２３）。
【００３２】
次に、ＵＥ３０は、アタッチ要求へ移行する（ステップＳ２４）。ＵＥ３０は、ＩＭＳＩを含むAttach  Request（アタッチ要求）を基地局装置１０Ａへ送信する（ステップＳ２５）。次に、基地局装置１０Ａは、ＵＥ３０から受信したアタッチ要求を含むＩＭＳＩをもとに、ＵＥ３０がＭ２Ｍ端末であるか否かを判定するＭ２Ｍ端末判定処理を実行する（ステップＳ２６）。具体的には、基地局装置１０Ａは、アタッチ要求に含まれるＩＭＳＩが、ＩＭＳＩ記憶テーブル１３ａ（図１Ａ参照）に記憶されるか否かを判定する。そして、基地局装置１０Ａは、アタッチ要求に含まれるＩＭＳＩが、ＩＭＳＩ記憶テーブル１３ａに記憶される場合、当該アタッチ要求がＭ２Ｍ端末からの要求と判定し、この呼の信号処理をＭ２Ｍカードであるカード１５ａ（図１Ａ参照）へ割り当てる。
【００３３】
なお、基地局装置１０Ａは、ステップＳ２６においてアタッチ要求がＭ２Ｍ端末からの要求と判定した場合、ステップＳ２７以降の信号処理を、Ｍ２Ｍカードであるカード１５ａで行う。その一方、ステップＳ２６以前では、ＵＥ３０がＭ２Ｍ端末であるか否かが判定されていないので、基地局装置１０Ａは、一般カードであるカード１５ｂ〜１５ｄのいずれかで信号処理を行う。ここで、ステップＳ２６以前の処理では、位置登録処理の初期段階であるので、Ｍ２Ｍカードであるカード１５ａへ割り当てられるデータについて、データ量が比較的少ないＤＣＣＨの再設定が発生する場合がある。しかし、ステップＳ２６以前の処理では、データ量が比較的多いＤＴＣＨの再設定が発生することはない。なお、ＤＣＣＨは、Dedicated  Control  CHannel（個別制御チャネル）である。また、ＤＴＣＨは、Dedicated  Traffic  CHannel（個別通信チャネル）である。
【００３４】
次に、基地局装置１０Ａは、上位装置２０へ、ＩＭＳＩを含むAttach  Request（アタッチ要求）を送信する（ステップＳ２７）。次に、ＵＥ３０、基地局装置１０Ａ、上位装置２０、およびＨＳＳ２１は、認証、秘匿、およびインテグリティ制御を行う（ステップＳ２８）。次に、上位装置２０は、ＨＳＳ２１へ、Update  Location  Request（位置登録要求）およびマッピング情報要求を送信する（ステップＳ２９）。ステップＳ２９におけるマッピング情報要求には、ステップＳ２５においてＵＥ３０から送信されたＩＭＳＩが含まれる。
【００３５】
次に、ＨＳＳ２１は、上位装置２０からの位置登録要求に応じて、ＵＥ３０の位置情報を図示しない記憶部へ登録する（ステップＳ３０）。次に、ＨＳＳ２１は、マッピング情報を参照し、上位装置２０から受信したマッピング情報要求に含まれるＩＭＳＩに対応付けられたＵＥ識別子を照合する（ステップＳ３１）。次に、ＨＳＳ２１は、マッピング情報内で特定したＵＥ識別子を含むマッピング情報応答を、Update  Location  Ack（位置登録応答）と共に、上位装置２０へ送信する（ステップＳ３２）。
【００３６】
次に、上位装置２０は、Ｓ−ＧＷ（Serving  GateWay）２２へ、Create  Session  Request（ベアラ設定要求）を送信する（ステップＳ３３）。Ｓ−ＧＷ２２は、ＰＣＲＦ（Policy  and  Charging  Rules  Function）２３、Ｐ−ＧＷ（PDN  GateWay）２４、ＰＤＮ（Packet  Data  Network）２５とともにベアラ設定処理を行う（ステップＳ３４）。次に、Ｓ−ＧＷ２２は、上位装置２０へ、Create  Session  Response（ベアラ設定応答）を送信する（ステップＳ３５）。
【００３７】
次に、上位装置２０は、基地局装置１０Ａへ、Initial  Context  Setup  Request／Attach  Accept（無線ベアラ設定要求／アタッチ受入れ）とともにマッピング情報応答を送信する（ステップＳ３６）。基地局装置１０Ａは、上位装置２０から受信したマッピング情報応答に含まれているＵＥ識別子に基づいて、ＵＥ３０がＭ２Ｍ端末であるか否かを判定する。
【００３８】
上位装置２０から受信したマッピング情報応答に含まれているＵＥ識別子が、Ｍ２Ｍ端末であることを示す場合、基地局装置１０Ａは、ＵＥ３０から受信したＩＭＳＩをＩＭＳＩ記憶テーブル１３ａへ追加登録し、更新する（ステップＳ３７）。ただし、ステップＳ３７では、基地局装置１０Ａは、登録対象のＩＭＳＩがＩＭＳＩ記憶テーブル１３ａに既に登録されている場合、追加登録を行わない。
【００３９】
次に、基地局装置１０Ａは、RRC  Connection  Reconfiguration／Attach  Accept（無線ベアラ設定要求／アタッチ受入れ）をＵＥ３０へ送信する（ステップＳ３８）。次に、ＵＥ３０は、RRC  Connection  Reconfiguration  Complete（無線ベアラ設定応答）を基地局装置１０Ａへ送信する（ステップＳ３９）。
【００４０】
次に、基地局装置１０Ａは、上位装置２０へ、Initial  Context  Setup  Response（無線ベアラ設定応答）を送信する（ステップＳ４０）。次に、ＵＥ３０は、基地局装置１０Ａへ、UL  Direct  Transfer／Attach  Complete（アタッチ完了）を送信する（ステップＳ４１）。次に、基地局装置１０Ａは、上位装置２０へ、Attach  Complete（アタッチ完了）を送信する（ステップＳ４２）。
【００４１】
次に、ＵＥ３０は、Ｓ−ＧＷ２２へ、First  Uplink  Data（上りユーザパケットデータ）を送信する（ステップＳ４３）。Ｓ−ＧＷ２２は、Ｐ−ＧＷ２４へ、First  Uplink  Dataを転送し（ステップＳ４４）、Ｐ−ＧＷ２４は、ＰＤＮ２５へ、First  Uplink  Dataを転送する（ステップＳ４５）。
【００４２】
次に、上位装置２０は、Ｓ−ＧＷ２２へ、Modify  Bearer  Request（ベアラ更新要求）を送信する（ステップＳ４６）。次に、上位装置２０からModify  Bearer  Requestを受信したＳ−ＧＷ２２は、ＰＣＲＦ２３、Ｐ−ＧＷ２４、ＰＤＮ２５とともに、ベアラ更新処理を行う（ステップＳ４７）。次に、Ｓ−ＧＷ２２は、上位装置２０へ、Modify  Bearer  Response（ベアラ更新応答）を送信する（ステップＳ４８）。
【００４３】
次に、ＰＤＮ２５は、Ｐ−ＧＷ２４へ、First  Downlink  Data（下りユーザパケットデータ）を送信する（ステップＳ４９）。Ｐ−ＧＷ２４は、Ｓ−ＧＷ２２へ、First  Downlink  Dataを転送し（ステップＳ５０）、Ｓ−ＧＷ２２は、ＵＥ３０へ、First  Downlink  Dataを転送する（ステップＳ５１）。以降、ＵＥ３０およびＰＤＮ２５は、Ｓ−ＧＷ２２およびＰ−ＧＷ２４を介して、Uplink  DataおよびDownlink  Dataの送受信を行う。
【００４４】
（実施形態１に係るＭ２Ｍ端末判定処理のフロー）
図３は、実施形態１に係るＭ２Ｍ端末判定処理の一例を示すフローチャートである。Ｍ２Ｍ端末判定処理は、例えば、ＵＥ２０によるアタッチ処理の度に実行される。先ず、基地局装置１０Ａは、ＵＥ３０（図２参照）からアタッチ要求を受信する（ステップＳ６１）。ＵＥ３０からのアタッチ要求には、EPS  Mobile  Identity（ＩＭＳＩ）が含まれる。次に、基地局装置１０Ａは、ステップＳ６１で受信したＩＭＳＩをもとに、ＩＭＳＩ記憶テーブル１３ａ（図１Ａ参照）を参照する（ステップＳ６２）。
【００４５】
次に、基地局装置１０Ａは、ＵＥ３０から受信したアタッチ要求に含まれているＩＭＳＩがＩＭＳＩ記憶テーブル１３ａ内にあるか否かを判定する（ステップＳ６３）。
【００４６】
ＵＥ３０から受信したアタッチ要求に含まれているＩＭＳＩがＩＭＳＩ記憶テーブル１３ａ内にある場合（ステップＳ６３：Ｙｅｓ）、基地局装置１０Ａは、ステップＳ６４に示す処理を実行する。一方、ＵＥ３０から受信したアタッチ要求に含まれているＩＭＳＩがＩＭＳＩ記憶テーブル１３ａ内にない場合（ステップＳ６３：Ｎｏ）、基地局装置１０Ａは、ステップＳ６５に示す処理を実行する。なお、ステップＳ６３でＩＭＳＩがＩＭＳＩ記憶テーブル１３ａ内にないと判断されるのは、ステップＳ６１で受信したＩＭＳＩが、Ｍ２Ｍ端末以外からのものであるか、または、Ｍ２Ｍ端末からのものであっても１回目の受信時のものである場合である。
【００４７】
ステップＳ６４では、基地局装置１０Ａは、ステップＳ６３でＩＭＳＩ記憶テーブル１３ａにあると判定したＩＭＳＩに係る呼の信号処理をＭ２Ｍカードへ割り当てる。一方、ステップＳ６５では、基地局装置１０Ａは、ステップＳ６３でＩＭＳＩ記憶テーブル１３ａにないと判定したＩＭＳＩに係る呼の信号処理を一般カードへ割り当てる。基地局装置１０Ａは、ステップＳ６４またはステップＳ６５の処理が終了すると、ステップＳ６６に示す処理を実行する。
【００４８】
ステップＳ６６では、基地局装置１０Ａは、ステップＳ６１で受信したアタッチ要求を上位装置２０へ送信する。次に、基地局装置１０Ａは、上位装置２０から、上位装置２０がＨＳＳ２１（図１Ａ参照）から取得したＩＭＳＩのマッピング情報応答を受信する（ステップＳ６７）。
【００４９】
次に、基地局装置１０Ａは、上位装置２０から受信したマッピング情報応答に含まれているＵＥ識別子に基づいて、アタッチ要求の送信元のＵＥ３０がＭ２Ｍ端末であるか否かを判定する（ステップＳ６８）。アタッチ要求の送信元のＵＥ３０がＭ２Ｍ端末である場合（ステップＳ６８：Ｙｅｓ）、基地局装置１０Ａは、ステップ６９に示す処理を実行する。一方、アタッチ要求の送信元のＵＥ３０がＭ２Ｍ端末ではない場合（ステップＳ６８：Ｎｏ）、基地局装置１０Ａは、Ｍ２Ｍ端末判定処理を終了する。
【００５０】
ステップＳ６９では、基地局装置１０Ａは、アタッチ要求に含まれていたＩＭＳＩがＩＭＳＩ記憶テーブル１３ａ内にあるか否かを判定する。アタッチ要求に含まれていたＩＭＳＩがＩＭＳＩ記憶テーブル１３ａ内にある場合（ステップＳ６９：Ｙｅｓ）、基地局装置１０Ａは、Ｍ２Ｍ端末判定処理を終了する。一方、アタッチ要求に含まれていたＩＭＳＩがＩＭＳＩ記憶テーブル１３ａ内にない場合（ステップＳ６９：Ｎｏ）、基地局装置１０Ａは、ステップＳ７０に示す処理を実行する。
【００５１】
ステップＳ７０では、基地局装置１０Ａは、アタッチ要求に含まれていたＩＭＳＩを、ＩＭＳＩ記憶テーブル１３ａへ追加することにより、ＩＭＳＩ記憶テーブル１３ａを更新する。ステップＳ７０が終了すると、基地局装置１０Ａは、Ｍ２Ｍ端末判定処理を終了する。
【００５２】
（実施形態１に係るマッピング情報取得処理のフロー）
図４は、実施形態１に係るＵＥ識別子取得処理の一例を示すフローチャートである。ＵＥ識別子取得処理は、例えば、ＵＥ３０によるアタッチ処理の度に実行される。先ず、上位装置２０は、基地局装置１０Ａから、アタッチ要求を受信する（ステップＳ７１）。基地局装置１０Ａからのアタッチ要求には、EPS  Mobile  Identity（ＩＭＳＩ）が含まれる。次に、上位装置２０は、アタッチ要求を基地局装置１０Ａへ送信したＵＥ３０（図２参照）、基地局装置１０Ａ、およびＨＳＳ２１（図２参照）と共に、認証、秘匿、およびインテグリティ制御を行う（ステップＳ７２）。
【００５３】
次に、上位装置２０は、ステップＳ７１で受信したアタッチ要求をもとに、ＨＳＳ２１に対して、位置登録要求を行う。そして、上位装置２０は、ステップＳ７１で受信したアタッチ要求に含まれているＩＭＳＩを含むマッピング情報要求を、ＨＳＳ２１へ送信する（ステップＳ７３）。次に、上位装置２０は、ＨＳＳ２１から、ＵＥ識別子を含むマッピング情報応答を受信する（ステップＳ７４）。次に、上位装置２０は、基地局装置１０Ａへ、ステップＳ７４で受信したマッピング情報応答を送信し（ステップＳ７５）、マッピング情報取得処理を終了する。
【００５４】
（実施形態１に係る呼処理）
図５は、実施形態１に係る呼処理の一例を示す説明図である。図５に示す例では、カード１５ａがＭ２Ｍカード、カード１５ｂ〜１５ｄが一般カード、カード１５ｅが予備カードである。一般カードの起動順序は、カード番号＃２のカード１５ｂ、カード番号＃３のカード１５ｃ、カード番号＃４のカード１５ｄ、カード番号＃２のカード１５ｂの順序でカード番号の輪番となる。
【００５５】
図５の（ａ）は、カード１５ａ、１５ｂおよび１５ｅが電源オンでの運用中の状態、カード１５ｃおよび１５ｄが電源オフの状態をそれぞれ示す。カード１５ｂ〜１５ｄには、処理される呼量の閾値であるＴｈ１が設定されている。そして、図５の（ａ）に示す状態では、カード１５ａ〜１５ｄのいずれにも呼は割り当てられていない。なお、図５（ａ）に示す例において、一般カードであるカード１５ｂには、呼が割り当てられていないため、呼が割り当てられていない状態では、カード１５ｂの電源はオフにされてもよい。
【００５６】
次に、図５の（ｂ）に示すように、新規のＭ２Ｍ呼は、Ｍ２Ｍカードであるカード１５ａへ割り当てられる。次に、図５の（ｃ）に示すように、新規の一般呼は、一般カードであり、かつ、運用中であるカード１５ｂへ割り当てられる。
【００５７】
そして、図５の（ｄ）に示すように、新規の一般呼がカード１５ｂへ割り当てられることによりカード１５ｂで処理中の一般呼の呼量が所定閾値に至ると、カード１５ｂの次番の一般カードであるカード１５ｃが起動される。そして、カード１５ｃの起動完了後、新規の一般呼は、カード１５ｃへ割り当てられる。その後、カード１５ｂにおける一般呼の呼処理が終了してカード１５ｂでの処理中の一般呼の呼量が０になると、カード１５ｂの電源はオフにされる。
【００５８】
（実施形態１の効果）
実施形態１は、同時に多数発生後、カードでの呼処理が短時間で終了するというＭ２Ｍ呼の特性を考慮し、Ｍ２Ｍ呼専用のＭ２Ｍカードを設け、Ｍ２Ｍカードを、消費電力低減のためのカードの電源制御の対象から除外する。つまり、実施形態１は、一般カードのみカードの電源制御の対象とすることにより、新規の一般呼を割り当てるカードの切り替えによる電源オンと、処理中の呼量が０となったカードの電源オフとの発生頻度を抑えることができる。よって、実施形態１は、基地局装置１０Ａの消費電力低減効果を高めることができる。
【００５９】
［実施形態２］
前述の実施形態１における基地局装置１Ａでは、Ｍ２Ｍカードの枚数が固定されていたが、実施形態２における基地局装置では、Ｍ２Ｍカードの枚数が、Ｍ２Ｍ呼の予測量に基づいて可変である点が実施形態１の基地局装置１Ａとは異なる。なお、実施形態２における基地局装置では、Ｍ２Ｍカードの枚数は、Ｍ２Ｍ呼の予測量に基づいて、１枚単位で変更されてもよく、２枚以上の整数単位で変更されてもよい。その他の点は、実施形態１と同様であるので、説明を省略する。
【００６０】
（実施形態２に係る基地局装置）
図６Ａは、実施形態２に係る基地局装置の一例を示すブロック図である。図６Ａは、実施形態２に係る基地局装置１０Ｂのうち、実施形態２に係るブロックのみを図示し、その他のブロックを省略している。また、以下に説明する点を除き、図６Ａに示した基地局装置１０Ｂにおいて、図１Ａに示した基地局装置１０Ａと同じ符号を付したブロックは、図１Ａに示した基地局装置１０Ａと同一または同様の機能を有するため説明を省略する。
【００６１】
図６Ａに示すように、実施形態２に係る基地局装置１０Ｂの呼処理部１２Ｂは、カード枚数制御部１２ｄをさらに有する。カード枚数制御部１２ｄは、後述するように、新規に受け付けたＭ２Ｍ呼の単位時間あたりの増減量を算出し、単位時間あたりの増減量から予測できる所定時間後のＭ２Ｍ呼処理量予測値Ｔに基づいて、Ｍ２Ｍカードの枚数を決定する。そして、カード枚数制御部１２ｄは、信号処理部１５が有するカードのうち、決定した枚数分のカードを、Ｍ２Ｍカードに割り当て、残りのカードから予備カードを除いたカードを、一般カードに割り当てる。本実施形態において、カード枚数制御部１２ｄは、Ｍ２Ｍ呼処理量予測値Ｔに基づいて決定した枚数分のカードを、例えばカード番号＃１から昇順にＭ２Ｍカードに割り当てる。
【００６２】
また、基地局装置１０Ｂの記憶部１３Ｂは、Ｍ２Ｍカード枚数制御テーブル１３ｂ１をさらに有する。
【００６３】
図６Ｂは、実施形態２に係るＭ２Ｍカード枚数制御テーブルの一例を示す図である。図６Ｂに示すように、Ｍ２Ｍカード枚数制御テーブル１３ｂ１は、「Ｍ２Ｍカード枚数」および「Ｍ２Ｍ呼処理量予測値Ｔの範囲」を対応付けて記憶する。「Ｍ２Ｍカード枚数」は、Ｍ２Ｍカードとして割り当てられるカードの枚数である。「Ｍ２Ｍ呼処理量予測値Ｔの範囲」は、「Ｍ２Ｍカード枚数」と対応する、Ｍ２Ｍ呼処理量予測値Ｔの範囲を示す。
【００６４】
例えば、カード枚数制御部１２ｄは、Ｍ２Ｍ呼処理量予測値Ｔとして、０≦Ｔ＜Ｔ１（Ｔ１は所定値）を算出したとする。この場合、カード枚数制御部１２ｄは、Ｍ２Ｍカード枚数制御テーブル１３ｂ１を参照し、「Ｍ２Ｍ呼処理量予測値Ｔの範囲」“０≦Ｔ＜Ｔ１”と対応する「Ｍ２Ｍカード枚数」“１”を取得する。すなわち、カード枚数制御部１２ｄは、カード１５ａをＭ２Ｍカードとし、カード１５ｂ〜１５ｄを一般カードと制御する。図６Ｂに示すその他の「Ｍ２Ｍカード枚数」および「Ｍ２Ｍ呼処理量予測値Ｔの範囲」についても同様である。
【００６５】
（実施形態２に係るＭ２Ｍカード枚数制御処理のフロー）
図７は、実施形態２に係るＭ２Ｍカード枚数制御処理の一例を示すフローチャートである。Ｍ２Ｍカード枚数制御処理は、基地局装置１０Ｂによる新規Ｍ２Ｍ呼の受け付け毎に実行される。先ず、カード枚数制御部１２ｄは、新規Ｍ２Ｍ呼を受け付ける（ステップＳ８１）。次に、カード枚数制御部１２ｄは、ステップＳ８１で受け付けたＭ２Ｍ呼の処理量を測定し、測定したＭ２Ｍ呼の処理量を、測定時刻に対応付けて、図示しない記憶部へ記録する（ステップＳ８２）。
【００６６】
次に、カード枚数制御部１２ｄは、Ｍ２Ｍカード枚数の更新タイミングか否かを判定する（ステップＳ８３）。なお、更新タイミングは、所定周期であってもよいし、ステップＳ８２で測定したＭ２Ｍ呼の処理量が所定閾値を越えた場合であってもよい。Ｍ２Ｍカード枚数の更新タイミングである場合（ステップＳ８３：Ｙｅｓ）、カード枚数制御部１２ｄは、ステップＳ８４に示す処理を実行する。一方、Ｍ２Ｍカード枚数の更新タイミングでない場合（ステップＳ８３：Ｎｏ）、カード枚数制御部１２ｄは、ステップＳ８１に示す処理を実行する。
【００６７】
ステップＳ８４では、カード枚数制御部１２ｄは、図示しない記憶部へ記録されたＭ２Ｍ呼の処理量に基づき、単位時間あたりのＭ２Ｍ呼処理量増減量を算出する。例えば、カード枚数制御部１２ｄは、図示しない記憶部へ記録されたＭ２Ｍ呼の処理量のうち最新の所定期間の処理量に基づいて、単位時間あたりの処理量の変化量を、Ｍ２Ｍ呼処理量増減量として算出する。
【００６８】
次に、カード枚数制御部１２ｄは、ステップＳ８４で算出した単位時間あたりのＭ２Ｍ呼処理量増減量に、所定時間を乗じて、所定時間後のＭ２Ｍ呼処理量予測値Ｔを算出する（ステップＳ８５）。次に、カード枚数制御部１２ｄは、ステップＳ８５で算出したＭ２Ｍ呼処理量予測値ＴをもとにＭ２Ｍカード枚数制御テーブル１３ｂ１を参照し、ステップＳ８５で算出したＭ２Ｍ呼処理量予測値Ｔが含まれるＭ２Ｍ呼処理量予測値Ｔの範囲を特定する。そして、カード枚数制御部１２ｄは、Ｍ２Ｍカード枚数制御テーブル１３ｂ１を参照し、特定したＭ２Ｍ呼処理量予測値Ｔの範囲に対応付けられているＭ２Ｍカード枚数を特定する（ステップＳ８６）。次に、カード枚数制御部１２ｄは、ステップＳ８６で特定したＭ２Ｍカード枚数に基づいて、Ｍ２Ｍカード枚数を変更する（ステップＳ８７）。ステップＳ８７では、カード枚数制御部１２ｄは、ステップＳ８６で特定したＭ２Ｍカード枚数に対応する枚数のカードをＭ２Ｍカードに割り当てる。ステップＳ８７が終了すると、カード枚数制御部１２ｄは、Ｍ２Ｍカード枚数制御処理を終了する。
【００６９】
（実施形態２に係るＭ２Ｍカード枚数制御処理）
図８は、実施形態２に係るＭ２Ｍカード枚数制御処理の一例を示す説明図である。Ｍ２Ｍカードとしてのカードの振分順番は、カード番号＃２のカード１５ｂ、カード番号＃３のカード１５ｃの順序である。Ｍ２Ｍカードとして複数のカードを起動させる場合、カード番号が小さい順序で複数枚起動させる。また、一般カードとしてのカードの起動順序は、カード番号が最小のものから順次１つずつカード番号か大きいカードを起動させ、カード番号が最大のカードの次に起動させるカードは、カード番号が最小のカードである輪番となる。
【００７０】
図８の（ａ）は、カード１５ａがＭ２Ｍカードとして運用中の状態、カード１５ｂおよび１５ｄが一般カードとして電源オフの状態、カード１５ｃが一般カードとして運用中の状態、カード１５ｅが予備カードとして運用中の状態を示す。カード１５ｂ〜１５ｄには、処理呼量の閾値であるＴｈ１が設定されている。そして、図８の（ａ）に示す状態では、カード１５ａ〜１５ｄのいずれにも呼は割り当てられていない。
【００７１】
次に、図８の（ｂ）に示すように、新規のＭ２Ｍ呼は、Ｍ２Ｍカードであるカード１５ａへ割り当てられる。そして、新規のＭ２Ｍ呼がＭ２Ｍカードへ割り当てられ、Ｍ２Ｍカード枚数の更新タイミングにおいて、Ｍ２Ｍ呼処理量予測値Ｔに基づき、Ｍ２Ｍカード枚数が“１”から“２”へ変更される。よって、図８の（ｃ）に示すように、カード１５ａの次番のカードであるカード１５ｂが起動され、カード１５ａおよび１５ｂがＭ２Ｍカードとして運用中の状態になる。そして、カード１５ｃが一般カードとして運用中の状態となり、カード１５ｄが一般カードとして電源オフの状態となる。
【００７２】
そして、図８の（ｄ）に示すように、カード１５ａへのＭ２Ｍ呼の割り当てが、カード１５ａが処理可能な呼量の最大値に到達すると、以降の新規Ｍ２Ｍ呼は、カード１５ｂへ割り当てられる。
【００７３】
なお、カード１５ａの次番のカードをＭ２Ｍカードとして起動する際に、カード１５ｂが一般カードとして運用中の場合には、電源オフであるカードのうち、カード番号が最も小さいカードを起動してＭ２Ｍカードとしてもよい。
【００７４】
（実施形態２のその他の形態）
実施形態２における基地局装置１０Ｂは、Ｍ２Ｍカードの数を、Ｍ２Ｍ呼の予測量に基づいて、例えば１枚単位で変更可能とする。しかし、Ｍ２Ｍ呼の予測量に基づいて、変更可能なＭ２Ｍカードの枚数は、１枚単位に限られず、２枚以上の単位で変更してもよく、１枚未満の単位で変更してもよい。以下、Ｍ２Ｍ呼の予測量に基づいて、１枚未満の単位でＭ２Ｍカードを変更する場合について、実施形態２のその他の形態として説明する。実施形態２のその他の形態では、基地局装置１０Ｂは、Ｍ２Ｍカードの数を、Ｍ２Ｍ呼の予測量に基づいて、１枚未満の単位、例えば０．５枚単位で変更可能とする。なお、Ｍ２Ｍ呼の予測量に基づいて、変更可能なＭ２Ｍカードの枚数は、０．５枚単位に限られず、１枚未満の単位であれば、適宜設計変更可能である。その他の点は、実施形態２と同様であるので、説明を省略する。
【００７５】
基地局装置１０Ｂの記憶部１３Ｂは、Ｍ２Ｍカード枚数制御テーブル１３ｂ１に代えて、Ｍ２Ｍカード枚数制御テーブル１３ｂ２をさらに有する。
【００７６】
図９は、実施形態２のその他の形態に係るＭ２Ｍカード枚数制御テーブルの一例を示す図である。図９に示すように、Ｍ２Ｍカード枚数制御テーブル１３ｂ２は、「制限量」、「Ｍ２Ｍカード枚数」および「Ｍ２Ｍ呼処理量予測値Ｔの範囲」を対応付けて記憶する。「制限量」は、Ｍ２Ｍカードとして割り当てられたカードの中で、Ｍ２Ｍ呼の処理に割り当て可能なカードの枚数を示す。言い換えると、「制限量」は、Ｍ２Ｍカードとして割り当てられたカードの枚数に対する、Ｍ２Ｍ呼の処理に割り当て可能なカードの枚数の割合である。図９の例では、「制限量」は、「Ｍ２Ｍカード枚数」以下の値となっている。例えば、図９に示すように、「Ｍ２Ｍカード枚数」“１”の場合、「制限量」が０．５のときには１枚のカードのうち１／２がＭ２Ｍカードに割り当てられ、残りの１／２が一般カードに割り当てられる。また、例えば、図９に示すように、「Ｍ２Ｍカード枚数」“２”の場合は、「制限量」が１．５のときには２枚のうちの１枚のカード及び他の１枚のカードの１／２がＭ２Ｍカードに割り当てられ、他の１枚のカードの残りの１／２が一般カードに割り当てられる。
【００７７】
例えば、カード枚数制御部１２ｄは、Ｍ２Ｍ呼処理量予測値Ｔとして、０≦Ｔ＜０．５×Ｔ１（Ｔ１は所定値）を算出したとする。この場合、カード枚数制御部１２ｄは、Ｍ２Ｍカード枚数制御テーブル１３ｂ２を参照し、「Ｍ２Ｍ呼処理量予測値Ｔの範囲」“０≦Ｔ＜０．５×Ｔ１”と対応する「制限量」“０．５”、「Ｍ２Ｍカード枚数」“０．５”を取得する。そして、カード枚数制御部１２ｄは、カード１５ａの１／２をＭ２Ｍカードに割り当て、カード１５ａの残り１／２と、カード１５ｂ〜１５ｄとを一般カードに割り当てる。
【００７８】
また、例えば、カード枚数制御部１２ｄは、Ｍ２Ｍ呼処理量予測値Ｔとして、０．５×Ｔ１≦Ｔ＜Ｔ１を算出したとする。この場合、カード枚数制御部１２ｄは、Ｍ２Ｍカード枚数制御テーブル１３ｂ２を参照し、「Ｍ２Ｍ呼処理量予測値Ｔの範囲」“０．５×Ｔ１≦Ｔ＜Ｔ１”と対応する「制限量」“１”、「Ｍ２Ｍカード枚数」“１”を取得する。そして、カード枚数制御部１２ｄは、カード１５ａをＭ２Ｍカードに割り当て、カード１５ｂ〜１５ｄを一般カードに割り当てる。図９に示すその他の「制限量」「Ｍ２Ｍカード枚数」「Ｍ２Ｍ呼処理量予測値Ｔの範囲」についても同様である。
【００７９】
なお、「Ｍ２Ｍ呼処理量予測値Ｔの範囲」と対応する「制限量」および「Ｍ２Ｍカード枚数」は、０．５枚単位ではなく、「Ｍ２Ｍ呼処理量予測値Ｔの範囲」に応じて適宜定められてもよい。
【００８０】
（実施形態２のその他の形態に係るＭ２Ｍカード枚数制御処理）
図１０は、実施形態２のその他の形態に係るＭ２Ｍカード枚数制御処理の一例を示す説明図である。図１０の（ａ）は、カード１５ａの１／２がＭ２Ｍカードとして運用中の状態を示し、カード１５ｂおよび１５ｄが一般カードとして電源オフの状態を示す。また、図１０の（ａ）は、カード１５ａの１／２およびカード１５ｃが一般カードとして運用中の状態を示し、カード１５ｅが予備カードとして運用中の状態を示す。カード１５ａの１／２およびカード１５ｂ〜１５ｄには、処理呼量の閾値であるＴｈ１が設定されている。そして、図１０の（ａ）に示す状態では、カード１５ａ〜１５ｄのいずれにも呼は割り当てられていない。
【００８１】
次に、図１０の（ｂ）に示すように、新規のＭ２Ｍ呼は、Ｍ２Ｍカードであるカード１５ａへ割り当てられる。そして、図１０の（ｃ）に示すように、新規のＭ２Ｍ呼は、制限量（図１０（ｃ）の例では、１／２）の範囲で、Ｍ２Ｍカードへ割り当てられる。そして、Ｍ２Ｍカード枚数の更新タイミングにおいて、Ｍ２Ｍ呼処理量予測値Ｔに基づき、制限量およびＭ２Ｍカード枚数が“０．５”から“１．５”へ変更される。そして、図１０の（ｄ）に示すように、カード１５ａの次番のカードであるカード１５ｂが起動される。そして、図１０の（ｄ）に示すように、カード１５ａおよびカード１５ｂの１／２がＭ２Ｍカードとして運用中、カード１５ｃが一般カードとして運用中の状態となり、カード１５ｄが一般カードとして電源オフの状態となる。
【００８２】
そして、図１０の（ｄ）に示すように、カード１５ａへのＭ２Ｍ呼の割り当てが、カード１５ａが処理可能な呼量の最大値に到達すると、以降の新規Ｍ２Ｍ呼は、カード１５ｂが処理可能な呼量の最大値１／２まで、カード１５ｂに割り当てられる。
【００８３】
なお、カード１５ａの次番のカードをＭ２Ｍカードとして起動する際に、カード１５ｂが一般カードとして運用中の場合には、電源オフであるカードのうち、カード番号が最も小さいカードを起動してＭ２Ｍカードとしてもよい。
【００８４】
なお、実施形態２および実施形態２のその他の形態では、Ｍ２Ｍ呼処理量予測値Ｔに応じてＭ２Ｍカード枚数を決定するとしたが、開示の技術はこれに限られず、Ｍ２Ｍ呼処理量の実測値に応じてＭ２Ｍカード枚数が決定されるとしてもよい。
【００８５】
（実施形態２の効果）
実施形態２および実施形態２のその他の形態は、Ｍ２Ｍ呼の予測量に応じて、Ｍ２Ｍカードの枚数を変更可能とする。つまり、実施形態２および実施形態２のその他の形態は、電源制御の対象とする一般カードの枚数および電源制御の対象外とするＭ２Ｍカードの枚数をきめ細かく制御することができる。よって実施形態２および実施形態２のその他の形態は、処理中のＭ２Ｍ呼が少ない場合には、より少ないカードをＭ２Ｍカードに割り当てることができ、電源を常時オンにしておくカードを少なくすることができる。これにより、Ｍ２Ｍ呼の発生状況に応じて、より効率よく基地局装置１０Ｂにおける消費電力の低減を実現できる。
【００８６】
［実施形態３］
実施形態３において、基地局装置は、Ｍ２Ｍカードの数を、Ｍ２Ｍ呼の予測量に基づいて、１枚未満の単位（例えば０．５枚単位）で変更可能とする。そして、実施形態３において、基地局装置は、新規の一般呼をカードへ割り当てる際に、運用中の一般カードで処理中の一般呼の呼量が所定閾値に達し、次番の一般カードが起動中で割り当てできない場合、状況に応じて他のカードへ新規の一般呼を割り当てる。なお、実施形態３において、基地局装置は、Ｍ２Ｍカードの枚数を、Ｍ２Ｍ呼の予測量に基づいて、０．５枚単位で可変とするが、０．５枚単位に限らず、任意の単位で可変とするよう、適宜設計変更可能である。その他の点は、実施形態２のその他の形態等と同様であるので、説明を省略する。
【００８７】
（実施形態３に係る基地局装置）
図１１は、実施形態３に係る基地局装置の一例を示すブロック図である。図１１は、実施形態３に係る基地局装置１０Ｃのうち、実施形態３に係るブロックのみを図示し、その他のブロックを省略している。また、以下に説明する点を除き、図１１に示した基地局装置１０Ｃにおいて、図６Ａに示した基地局装置１０Ｂと同じ符号を付したブロックは、図６Ａに示した基地局装置１０Ｂと同一または同様の機能を有するため説明を省略する。
【００８８】
図１１に示すように、実施形態３に係る基地局装置１０Ｃの呼処理部１２Ｃは、新規処理呼割当制御部１２ｅをさらに有する。新規処理呼割当制御部１２ｅは、新規の一般呼をカードへ割り当てる際に、運用中の一般カードで処理中の一般呼の呼量が所定閾値に達し、次番の一般カードに新規の一般呼を割り当てることができない場合、状況に応じて他のカードへ新規の一般呼を割り当てる。次番の一般カードに新規の一般呼を割り当てることができない場合とは、例えば、次番の一般カードが運用中でない場合である。なお、新規処理呼割当制御部１２ｅは、呼制御部１２ｂと統合されてもよく、以下に説明する新規処理呼割当制御部１２ｅの処理は、呼制御部１２ｂによって行われてもよい。また、基地局装置１０Ｃの記憶部１３Ｃは、実施形態２の基地局装置１０Ｂの記憶部１３Ｂと同様である。
【００８９】
（実施形態３に係る呼割当処理のフロー）
図１２は、実施形態３に係る呼割当処理の一例を示すフローチャートである。呼割当処理は、例えば、基地局装置１０Ｃによる新規の一般呼の受け付け毎に実行される。図１２に示すように、先ず、新規処理呼割当制御部１２ｅは、新規の一般呼を受け付ける（ステップＳ９１）。次に、新規処理呼割当制御部１２ｅは、運用中の一般カードでの処理中の呼量が所定閾値に到達したか否かを判定する（ステップＳ９２）。運用中の一般カードでの処理中の呼量が所定閾値に到達した場合（ステップＳ９２：Ｙｅｓ）、新規処理呼割当制御部１２ｅは、ステップＳ９３に示す処理を実行する。一方、運用中の一般カードでの処理中の呼量が所定閾値に到達していない場合（ステップＳ９２：Ｎｏ）、新規処理呼割当制御部１２ｅは、ステップＳ９４へ処理を移す。
【００９０】
ステップＳ９３では、新規処理呼割当制御部１２ｅは、次番の一般カードに電源を投入する。一方、ステップＳ９４では、新規処理呼割当制御部１２ｅは、ステップＳ９１で受け付けた新規一般呼を、最小番号の一般カードへ割り当てる。ステップＳ９４が終了すると、新規処理呼割当制御部１２ｅは、呼処理を終了する。
【００９１】
ステップＳ９３に続き、ステップＳ９５では、新規処理呼割当制御１２ｅは、新規の一般呼を受け付けたか否かを判定する。新規の一般呼を受け付けた場合（ステップＳ９５：Ｙｅｓ）、新規処理呼割当制御１２ｅは、ステップＳ９６に示す処理を実行する。一方、新規の一般呼を受け付けていない場合（ステップＳ９５：Ｎｏ）、新規処理呼割当制御１２ｅは、ステップＳ９５に示す処理を繰り返す。ステップＳ９６では、新規処理呼割当制御１２ｅは、ステップＳ９３で電源を投入した次番の一般カードの電源立ち上げが完了したか否かを判定する。ステップＳ９３で電源投入した次番一般カードの立ち上げが完了した場合（ステップＳ９６：Ｙｅｓ）、新規処理呼割当制御部１２ｅは、ステップＳ９７に示す処理を実行する。一方、ステップＳ９３で電源投入した次番一般カードの立ち上げが完了していない場合（ステップＳ９６：Ｎｏ）、新規処理呼割当制御部１２ｅは、ステップＳ９８に示す処理を実行する。
【００９２】
ステップＳ９７では、新規処理呼割当制御部１２ｅは、ステップＳ９６で電源の立ち上げが完了したと判定した次番の一般カードへ、ステップＳ９５で受け付けた新規の一般呼を割り当てる。ステップＳ９７が終了すると、新規処理呼割当制御部１２ｅは、呼割当処理を終了する。
【００９３】
一方、ステップＳ９８では、新規処理呼割当制御部１２ｅは、他の一般カードに、ステップＳ９５で受け付けた新規の一般呼の割当が可能か否かを判定する。他の一般カードに、ステップＳ９５で受け付けた新規の一般呼の割当が可能である場合（ステップＳ９８：Ｙｅｓ）、新規処理呼割当制御部１２ｅは、ステップＳ９９に示す処理を実行する。一方、他の一般カードに、ステップＳ９５で受け付けた新規の一般呼の割当が可能でない場合（ステップＳ９８：Ｎｏ）、新規処理呼割当制御部１２ｅは、ステップＳ１００に示す処理を実行する。
【００９４】
ステップＳ９９では、新規処理呼割当制御部１２ｅは、ステップＳ９５で受け付けた新規の一般呼を、割当が可能な他の一般カードへ割り当てる。ステップＳ９９が終了すると、新規処理呼割当制御部１２ｅは、呼割当処理を終了する。
【００９５】
一方、ステップＳ１００では、新規処理呼割当制御部１２ｅは、Ｍ２Ｍカードに、ステップＳ９５で受け付けた新規の一般呼の割当が可能か否かを判定する。Ｍ２Ｍカードに、ステップＳ９５で受け付けた新規の一般呼の割当が可能である場合（ステップＳ１００：Ｙｅｓ）、ステップＳ１０１に示す処理を実行する。一方、Ｍ２Ｍカードに、ステップＳ９５で受け付けた新規の一般呼の割当が可能でない場合（ステップＳ１００：Ｎｏ）、新規処理呼割当制御部１２ｅは、ステップＳ１０２に示す処理を実行する。
【００９６】
ステップＳ１０１では、新規処理呼割当制御部１２ｅは、ステップＳ９５で受け付けた新規の一般呼を、割当が可能であるＭ２Ｍカードへ割り当てる。ステップＳ１０１が終了すると、新規処理呼割当制御部１２ｅは、呼割当処理を終了する。
【００９７】
一方、ステップＳ１０２では、新規処理呼割当制御部１２ｅは、予備カードに、ステップＳ９５で受け付けた新規の一般呼の割当が可能か否かを判定する。予備カードに、ステップＳ９５で受け付けた新規の一般呼の割当が可能である場合（ステップＳ１０２：Ｙｅｓ）、新規処理呼割当制御部１２ｅは、ステップＳ１０３に示す処理を実行する。一方、予備カードに、ステップＳ９５で受け付けた新規の一般呼の割当が可能でない場合（ステップＳ１０２：Ｎｏ）、新規処理呼割当制御部１２ｅは、ステップＳ１０４に示す処理を実行する。
【００９８】
ステップＳ１０３では、新規処理呼割当制御部１２ｅは、ステップＳ９５で受け付けた新規の一般呼を、割当が可能な予備カードへ割り当てる。ステップＳ１０３が終了すると、新規処理呼割当制御部１２ｅは、呼割当処理を終了する。一方、ステップＳ１０４では、新規処理呼割当制御部１２ｅは、ステップＳ９５で受け付けた新規の一般呼の割当が可能なカードが存在しない旨を示す新規一般呼割当不能通知を、例えば図示しないコンソール端末へ出力する。ステップＳ１０４が終了すると、新規処理呼割当制御部１２ｅは、呼割当処理を終了する。
【００９９】
（実施形態３に係る呼割当処理）
図１３Ａは、実施形態３に係る呼割当処理の一例を示す説明図である。図１３Ａは、図１２のステップにおいて、次番の一般カードの電源投入が完了した場合（ステップＳ９６：Ｙｅｓ）の処理を示す。図１３Ａの（ａ）は、カード１５ａの１／２がＭ２Ｍカードとして運用中の状態を示し、カード１５ａの１／２およびカード１５ｂが一般カードとして運用中の状態を示す。また、図１３Ａの（ａ）は、カード１５ｃが一般カードとして起動中の状態を示し、カード１５ｄが一般カードとして電源オフの状態を示し、カード１５ｅが予備カードとして運用中の状態を示す。カード１５ａの１／２およびカード１５ｂ〜１５ｄには、処理呼量の閾値であるＴｈ１が設定されている。そして、図１３Ａの（ａ）に示す状態では、カード１５ａの１／２およびカード１５ｂに、閾値Ｔｈ１を越える一般呼が割り当てられている。
【０１００】
次に、図１３Ａの（ｂ）に示すように、カード１５ｃが、一般カードとして起動完了して運用中となる。そして、図１３Ａの（ｃ）に示すように、新規の一般呼は、一般カードであるカード１５ｃへ割り当てられる。
【０１０１】
また、図１３Ｂは、実施形態３に係る呼割当処理の一例を示す説明図である。図１３Ｂは、図１２のステップＳ９８において、他の一般カードに、新規の一般呼の割当が可能である場合（ステップＳ９８：Ｙｅｓ）の処理を示す。図１３Ｂの（ａ）は、カード１５ａの１／２がＭ２Ｍカードとして運用中の状態を示し、カード１５ｂが一般カードとして運用中の状態を示す。また、図１３Ｂの（ａ）は、カード１５ｃが一般カードとして電源オフの状態を示し、カード１５ｄが一般カードとして運用中の状態を示し、カード１５ｅが予備カードとして運用中の状態を示す。カード１５ａの１／２およびカード１５ｂ〜１５ｄには、処理呼量の閾値であるＴｈ１が設定されている。そして、図１３Ｂの（ａ）に示す状態では、カード１５ａの１／２およびカード１５ｂに、閾値Ｔｈ１を越える一般呼が割り当てられている。
【０１０２】
次に、図１３Ｂの（ｂ）および（ｃ）に示すように、カード１５ｃは、一般カードとして依然として起動中である。このため、図１３Ｂの（ｃ）に示すように、新規の一般呼は、運用中の一般カードのうち最もカード番号が最小であるカード１５ｄへ割り当てられる。
【０１０３】
また、図１３Ｃは、実施形態３に係る呼割当処理の一例を示す説明図である。図１３Ｂは、図１２のステップＳ１００において、Ｍ２Ｍカードに、新規の一般呼の割当が可能である場合（ステップＳ１００：Ｙｅｓ）の処理を示す。図１３Ｃの（ａ）は、カード１５ａの１／２がＭ２Ｍカードとして運用中の状態を示し、カード１５ａの残り１／２および１５ｂが一般カードとして運用中の状態を示す。また、図１３Ｃの（ａ）は、カード１５ｃおよび１５ｄが一般カードとして電源オフの状態を示し、カード１５ｅが予備カードとして運用中の状態を示す。カード１５ａの１／２、カード１５ｂ〜１５ｄには、処理呼量の閾値であるＴｈ１が設定されている。そして、図１３Ｃの（ａ）に示す状態では、カード１５ｂに、閾値Ｔｈ１を越える一般呼が割り当てられている。
【０１０４】
次に、図１３Ｃの（ｂ）に示すように、カード１５ｃは、一般カードとして起動されるが、図１３Ｃの（ｃ）に示すように、依然として起動中である。このため、図１３Ｃの（ｃ）に示すように、新規の一般呼は、運用中のカードのうち１／２がＭ２Ｍカードに割り当てられ、１／２が一般カードに割り当てられているカード１５ａの一般カード領域へ割り当てられる。
【０１０５】
また、図１３Ｄは、実施形態３に係る呼割当処理の一例を示す説明図である。図１３Ｄは、図１２のステップＳ１００において、Ｍ２Ｍカードに、新規の一般呼の割当が可能である場合（ステップＳ１００：Ｙｅｓ）の処理を示す。図１３Ｄの（ａ）は、カード１５ａの１／２がＭ２Ｍカードとして運用中の状態を示し、カード１５ａの残り１／２およびカード１５ｂが一般カードとして運用中の状態を示す。また、図１３Ｄの（ａ）は、カード１５ｃおよび１５ｄが一般カードとして電源オフの状態を示し、カード１５ｅが予備カードとして運用中の状態を示す。カード１５ａの１／２およびカード１５ｂ〜１５ｄには、処理呼量の閾値であるＴｈ１が設定されている。そして、図１３Ｄの（ａ）に示す状態では、カード１５ａに、処理可能な呼量の最大値まで一般呼が割り当てられている。また、そして、図１３Ｄの（ａ）に示す状態では、カード１５ｂに、処理呼量の閾値であるＴｈ１を越える一般呼が割り当てられている。
【０１０６】
次に、図１３Ｄの（ｂ）に示すように、カード１５ｃは、一般カードとして起動されるが、図１３Ｄの（ｃ）に示すように、依然として起動中である。このため、図１３Ｄの（ｃ）に示すように、新規の一般呼は、運用中のカードのうち１／２がＭ２Ｍカードに割り当てられ、１／２が一般カードに割り当てられているカード１５ａのＭ２Ｍカード領域へ割り当てられる。
【０１０７】
また、図１３Ｅは、実施形態３に係る呼割当処理の一例を示す説明図である。図１３Ｅは、図１２のステップＳ１０２において、予備カードに、新規の一般呼の割当が可能である場合（ステップＳ１０２：Ｙｅｓ）の処理を示す。図１３Ｅの（ａ）は、カード１５ａの１／２がＭ２Ｍカードとして運用中の状態を示し、カード１５ｂが一般カードとして運用中の状態を示す。また、図１３Ｅの（ａ）は、カード１５ｃおよび１５ｄが一般カードとして電源オフの状態を示し、カード１５ｅが予備カードとして運用中の状態を示す。カード１５ａの１／２およびカード１５ｂ〜１５ｄには、処理呼量の閾値であるＴｈ１が設定されている。そして、図１３Ｅの（ａ）に示す状態では、カード１５ａに、処理可能な呼量の最大値まで一般呼が割り当てられ、カード１５ｂに、閾値Ｔｈ１を越える一般呼が割り当てられている。
【０１０８】
次に、図１３Ｅの（ｂ）に示すように、カード１５ｃは、一般カードとして起動されるが、図１３Ｅの（ｃ）に示すように、依然として起動中である。しかも、図１３Ｅの（ｃ）に示すように、カード１５ａの１／２のＭ２Ｍカード領域も、処理可能な呼量の最大値までＭ２Ｍ呼が割り当てられている。そこで、新規の一般呼は、予備カードに割り当てられている運用中のカード１５ｅへ割り当てられる。
【０１０９】
なお、実施形態３では、新規の一般呼を一般カードへ割り当てできないときに、新規の一般呼を、Ｍ２Ｍカードまたは予備カードへ割り当てる。しかし、開示の技術はこれに限られず、新規のＭ２Ｍ呼をＭ２Ｍカードへ割り当てできないとき、新規のＭ２Ｍ呼を予備カードへ割り当てるとしてもよい。例えば、新規のＭ２Ｍ呼は、Ｍ２Ｍカードの処理可能な呼量の最大値に達し、Ｍ２Ｍカードの数の変更処理が新規のＭ２Ｍ呼の割り当てに間に合わないとき、新規のＭ２Ｍ呼を予備カードへ割り当てるようにしてもよい。
【０１１０】
（実施形態３の効果）
実施形態３は、一般呼の割当に関し、運用中の一般カードに閾値Ｔｈ１を越える一般呼が割り当てられており、かつ、他の一般カードの起動完了が一般呼の割当に間に合わない場合、Ｍ２Ｍカードまたは予備カードへ新規一般呼を割り当てる。これにより、実施形態３は、Ｍ２Ｍカードの採用により効率よく基地局装置１０Ｃにおける消費電力低減を実現しつつ、一般呼の呼損を低減することができる。
【０１１１】
［実施形態４］
実施形態４において、基地局装置は、複数の一般カードで呼処理中の一般呼を、１以上一般カードへ移行させて、移行先の一般カードでまとめて呼処理する。なお、実施形態４において、複数の一般カードで呼処理中の一般呼を、１以上一般カードへ移行させて、移行先の一般カードでまとめて呼処理する以外の点は、実施形態１等と同様であるので、説明を省略する。
【０１１２】
（実施形態４に係る基地局装置）
図１４は、実施形態４に係る基地局装置の一例を示すブロック図である。図１４は、実施形態４に係る基地局装置１０Ｄのうち、実施形態４に係るブロックのみを図示し、その他のブロックを省略している。また、以下に説明する点を除き、図１４に示した基地局装置１０Ｄにおいて、図１Ａに示した基地局装置１０Ａと同じ符号を付したブロックは、図１Ａに示した基地局装置１０Ｄと同一または同様の機能を有するため説明を省略する。 
【０１１３】
図１４に示すように、実施形態４に係る基地局装置１０Ｄの呼処理部１２Ｄは、処理呼移動制御部１２ｆをさらに有する。処理呼移動制御部１２ｆは、後述するように、複数の一般カードで処理中の一般呼を、１枚以上の一般カードへ移行させて、移行先の一般カードでまとめて処理させる。
【０１１４】
（実施形態４に係る処理呼移行処理のフロー）
図１５は、実施形態４に係る処理呼移行処理の一例を示すフローチャートである。処理呼移行処理は、周期的に実行されてもよいし、運用中の複数の一般カードを検出する度に実行されてもよい。
【０１１５】
先ず、処理呼移動制御部１２ｆは、複数の一般カードが運用中か否かを判定する（ステップＳ１１１）。複数の一般カードが運用中である場合（ステップＳ１１１：Ｙｅｓ）、処理呼移動制御部１２ｆは、ステップＳ１１２に示す処理を実行する。一方、複数の一般カードが運用中でない場合（ステップＳ１１１：Ｎｏ）、処理呼移動制御部１２ｆは、処理呼移行処理を終了する。
【０１１６】
ステップＳ１１２では、処理呼移動制御部１２ｆは、前番一般カードに処理中の呼あるか否かを判定する。ここで、「前番一般カード」とは、例えば、一般カードのうち、今回、電源を投入され起動完了した一般カード対して、１つ前の前回、電源を投入され起動完了した一般カードである。言い換えると、「前番一般カード」は、起動順序が１つ前の一般カードである。前番一般カードに処理中の呼がある場合（ステップＳ１１２：Ｙｅｓ）、処理呼移動制御部１２ｆは、ステップＳ１１３に示す処理を実行する。一方、前番一般カードに処理中の呼がない場合（ステップＳ１１２：Ｎｏ）、処理呼移動制御部１２ｆは、ステップＳ１１６に示す処理を実行する。
【０１１７】
ステップＳ１１３では、処理呼移動制御部１２ｆは、一定時間が経過したか否かを判定する。なお、ステップＳ１１３において、処理呼移動制御部１２ｆが一定時間待機するのは、前番一般カードにおける処理中の呼のうちの少なくとも１つの呼の処理が終了することを待つためである。一定時間が経過した場合（ステップＳ１１３：Ｙｅｓ）、処理呼移動制御部１２ｆは、ステップＳ１１４に示す処理を実行する。一方、一定時間が経過していない場合（ステップＳ１１３：Ｎｏ）、処理呼移動制御部１２ｆは、ステップＳ１１２に示す処理を実行する。
【０１１８】
ステップＳ１１４では、処理呼移動制御部１２ｆは、処理呼移行条件が満たされるか否かを判定する。ここで、「処理呼移行条件」とは、処理呼の移行により、移行先の一般カードの全処理呼量が所定閾値未満になることである。処理呼移行条件が満たされる場合（ステップＳ１１４：Ｙｅｓ）、処理呼移動制御部１２ｆは、ステップＳ１１５に示す処理を実行する。一方、処理呼移行条件が満たされない場合（ステップＳ１１４：Ｎｏ）、処理呼移動制御部１２ｆは、ステップＳ１１４に示す処理を実行する。
【０１１９】
ステップＳ１１５では、処理呼移動制御部１２ｆは、前番一般カードの処理呼を、処理呼移行条件を満たす一般カードへ移行させる。次に、処理呼移動制御部１２ｆは、処理呼を移行させたことにより、呼処理中の処理呼が０となった前番一般カードの電源をオフにする（ステップＳ１１６）。ステップＳ１１６が終了すると、処理呼移動制御部１２ｆは、処理呼移行処理を終了する。
【０１２０】
（実施形態４に係る処理呼移行処理）
図１６Ａは、実施形態４に係る処理呼移行処理の一例を示す説明図である。図１６Ａの（ａ）は、カード１５ａがＭ２Ｍカードとして運用中、カード１５ｂおよび１５ｃが一般カードとして運用中の状態を示す。また、図１６Ａの（ａ）は、カード１５ｄが一般カードとして電源オフの状態を示し、カード１５ｅが予備カードとして運用中の状態を示す。カード１５ｂ〜１５ｄには、処理呼量の閾値であるＴｈ１が設定されている。図１６Ａの（ａ）に示すカード１５ｂで呼処理中の処理呼は、カード１５ｃへ移行させても、上述の処理呼移行条件を満たす。よって、図１６Ａの（ｂ）に示すように、カード１５ｂで呼処理中の処理呼をカード１５ｃへ移行させる。そして、図１６Ａの（ｃ）に示すように、処理呼量が０となったカード１５ｂは、電源オフにされる。
【０１２１】
また、図１６Ｂは、実施形態４に係る処理呼移行処理の一例を示す説明図である。図１６Ｂの（ａ）は、カード１５ａの１／２がＭ２Ｍカードとして運用中の状態を示し、カード１５ａの１／２およびカード１５ｂが一般カードとして運用中の状態を示す。また、図１６Ｂの（ａ）は、カード１５ｃおよび１５ｄが一般カードとして電源オフの状態を示し、カード１５ｅが予備カードとして運用中の状態を示す。カード１５ａの１／２およびカード１５ｂ〜１５ｄには、処理呼量の閾値であるＴｈ１が設定されている。図１６Ｂは、１／２がＭ２Ｍカードに割り当てられている運用中のカード１５ａへ優先的に処理呼を移行させる例を示す。
【０１２２】
図１６Ｂの（ａ）に示すカード１５ｂで呼処理中の処理呼は、カード１５ａの一般カードとして運用中の一般カード領域へ移行させても、上述の処理呼移行条件を満たす。よって、図１６Ｂの（ｂ）に示すように、カード１５ｂで呼処理中の処理呼をカード１５ａの一般カード領域へ移行させる。そして、図１６Ｂの（ｃ）に示すように、処理呼量が０となったカード１５ｂは、電源オフにされる。
【０１２３】
（実施形態４の効果）
実施形態４は、複数の一般カードで一般呼を呼処理中の場合、１以上の一般カードへ処理呼を移行させることにより、移行先の一般カードで一般呼をまとめて処理させる。これにより、実施形態４は、基地局装置１０Ｄにおいて、一般カードとして起動されるカードの枚数を低減し、消費電力低減を実現できる。
【０１２４】
［実施形態５］
実施形態５において、基地局装置は、次番の一般カードを起動する際の契機となる前番の一般カードでの処理呼量の閾値判定を行うための閾値（チャネル閾値）を、一般処理呼の増加率に基づき決定して変更する。なお、実施形態５において、次番の一般カードを起動する際の契機となる前番の一般カードでの処理呼量の閾値判定を行うための閾値を、一般処理呼の増加率に基づき決定して変更する以外の点は、実施形態１等と同様であるので、説明を省略する。
【０１２５】
（実施形態５に係る基地局装置）
図１７Ａは、実施形態５に係る基地局装置の一例を示すブロック図である。図１７Ａは、実施形態５に係る基地局装置１０Ｅのうち、実施形態５に係るブロックのみを図示し、その他のブロックを省略している。また、以下に説明する点を除き、図１７Ａに示した基地局装置１０Ｅにおいて、図１Ａに示した基地局装置１０Ａと同じ符号を付したブロックは、図１Ａに示した基地局装置１０Ａと同一または同様の機能を有するため説明を省略する。
【０１２６】
図１７Ａに示すように、実施形態５に係る基地局装置１０Ｅの呼処理部１２Ｅは、閾値制御部１２ｇをさらに有する。閾値制御部１２ｇは、後述するように、次番の一般カードを起動する際の契機となる前番の一般カードでの処理呼量の閾値判定を行うための閾値を、一般処理呼の増加率に基づき決定して変更する。
【０１２７】
また、基地局装置１０Ｅの記憶部１３Ｅは、処理呼量増加率記憶テーブル１３ｃをさらに有する。
【０１２８】
図１７Ｂは、実施形態５に係る処理呼量増加率記憶テーブルの一例を示す図である。図１７Ｂに示すように、処理呼量増加率記憶テーブル１３ｃは、「処理呼量増加率」および「タイムスタンプ」を対応付けて記憶する。「処理呼量増加率」は、基地局装置１０Ｅにおいて算出された一般カード毎の呼量の増加率を示す。「処理呼量増加率」は、例えば、それぞれの一般カードについて、２つの時刻において処理中の呼量をそれぞれ測定し、２つの時刻において測定された呼量の変化率として算出される。「タイムスタンプ」は、「処理呼増加率」を算出した日時である。
【０１２９】
（実施形態５に係る処理呼量増加率算出処理）
図１８Ａは、実施形態５に係る処理呼量増加率算出処理の一例を示すフローチャートである。処理呼量増加率算出処理は、一般カード毎に、所定周期で実行される。先ず、閾値制御部１２ｇは、１つの一般カードが処理中の呼量ｍおよび時刻Ａを取得する（ステップＳ１２１）。次に、閾値制御部１２ｇは、所定時間が経過したか否かを判定する（ステップＳ１２２）。所定時間が経過した場合（ステップＳ１２２：Ｙｅｓ）、閾値制御部１２ｇは、ステップＳ１２３に示す処理を実行する。一方、所定時間が経過していない場合（ステップＳ１２２：Ｎｏ）、閾値制御部１２ｇは、再びステップＳ１２２に示した処理を繰り返す。
【０１３０】
ステップＳ１２３では、閾値制御部１２ｇは、ステップＳ１２１で処理中の呼量ｍおよび時刻Ａが取得された一般カードについて、処理中の呼量ｎおよび時刻Ｂを再度取得する。次に、閾値制御部１２ｇは、ステップＳ１２１およびＳ１２３で取得した処理呼量および時刻から、単位時間あたりの「処理呼量増加率」を算出する（ステップＳ１２４）。ステップＳ１２４において、閾値制御部１２ｇは、例えば（ｎ−ｍ）／（Ｂ−Ａ）を計算することにより、単位時間あたりの「処理呼量増加率」を算出する。次に、閾値制御部１２ｇは、ステップＳ１２４で算出した「処理呼量増加率」を、処理呼量増加率記憶テーブル１３ｃ（図１７Ａおよび図１７Ｂ参照）へ記録する（ステップＳ１２５）。ステップＳ１２５が終了すると、閾値制御部１２ｇは、処理呼量増加率算出処理を終了する。
【０１３１】
（実施形態５に係る閾値設定処理）
図１８Ｂは、実施形態５に係る閾値設定処理の一例を示すフローチャートである。閾値設定処理は、一般カードの起動時間が、一般カードにおいて処理中の呼量が処理呼量閾値（チャネル閾値）を越えてから制限値に達するまでの時間以下となるように、処理呼量閾値（チャネル閾値）を設定する処理である。閾値設定処理は、例えば、一般カードの起動毎に実行される。
【０１３２】
先ず、閾値制御部１２ｇは、一般カードの起動開始を検知したか否かを判定する（ステップＳ１３１）。一般カードの起動開始を検知した場合（ステップＳ１３１：Ｙｅｓ）、ス閾値制御部１２ｇは、ステップＳ１３２に示す処理を実行する。一方、一般カードの起動開始を検知していない場合（ステップＳ１３１：Ｎｏ）、閾値制御部１２ｇは、再びステップＳ１３１に示した処理を繰り返す。
【０１３３】
ステップＳ１３２では、閾値制御部１２ｇは、ステップＳ１３１で起動開始を検知した一般カードの起動開始検知時刻を取得する。次に、閾値制御部１２ｇは、ステップＳ１３１で起動開始を検知した一般カードの起動完了を検知したか否かを判定する（ステップＳ１３３）。ステップＳ１３１で起動開始を検知した一般カードの起動完了を検知した場合（ステップＳ１３３：Ｙｅｓ）、閾値制御部１２ｇは、ステップＳ１３４に示す処理を実行する。一方、ステップＳ１３１で起動開始を検知した一般カードの起動完了を検知していない場合（ステップＳ１３３：Ｎｏ）、閾値制御部１２ｇは、再びステップＳ１３３に示した処理を繰り返す。
【０１３４】
ステップＳ１３４では、閾値制御部１２ｇは、ステップＳ１３３で起動完了を検知した一般カードの起動完了検知時刻を取得する。次に、閾値制御部１２ｇは、ステップＳ１３４で取得した起動完了検知時刻からステップＳ１３２で取得した起動開始検知時刻までの時間を起動時間として算出する（ステップＳ１３５）。
【０１３５】
次に、閾値制御部１２ｇは、ステップＳ１３５で算出した起動時間と、処理呼量増加率記憶テーブル１３ｃに記録されている「処理呼量増加率」とに基づいて、処理呼量閾値を算出する（ステップＳ１３６）。例えば、閾値制御部１２ｇは、ステップＳ１３５で算出した起動時間に、処理呼量増加率記憶テーブル１３ｃに記録されている「処理呼量増加率」の平均を乗じた結果を、カードが起動するまでの間に増加する呼量として算出する。そして、閾値制御部１２ｇは、カードが起動するまでの間に増加する呼量を、１カードあたりの処理呼量の総量から減算し、減算後の値を、処理呼量閾値（チャネル閾値）として算出する。ただし、閾値制御部１２ｇは、カードが起動するまでの間に増加する呼量をα（α＞１、例えばα＝１．１等）倍して、処理呼量閾値に安全マージンをもたせてもよい。
【０１３６】
次に、閾値制御部１２ｇは、ステップＳ１３６で算出した処理呼量閾値（チャネル閾値）を、全ての一般カードへ設定する（ステップＳ１３７）。ステップＳ１３７が終了すると、閾値制御部１２ｇは、閾値設定処理を終了する。
【０１３７】
なお、閾値制御部１２ｇが、ステップＳ１３６における処理呼量閾値（チャネル閾値）の算出時に用いる「処理呼量増加率」の平均は、全ての一般カードについての「処理呼量増加率」の平均であってもよい。また、閾値制御部１２ｇが、ステップＳ１３６における処理呼量閾値（チャネル閾値）の算出時に用いる「処理呼量増加率」の平均は、一般カード毎の「処理呼量増加率」の平均であってもよい。
【０１３８】
また、閾値制御部１２ｇは、ステップＳ１３７において、ステップＳ１３１で起動開始を検知した一般カード毎に処理呼量閾値（チャネル閾値）を設定するとしてもよい。例えば、閾値制御部１２ｇが、一般カード毎の「処理呼量増加率」の平均を採用し、ステップＳ１３１で起動開始を検知した一般カード毎に処理呼量閾値（チャネル閾値）を設定するとしてもよい。この場合、閾値制御部１２ｇは、カード個体の起動時間の特性を反映した処理呼量閾値（チャネル閾値）を一般カード毎に設定できる。
【０１３９】
（実施形態５の効果）
実施形態５は、一般カードへの処理呼量閾値（チャネル閾値）の設定を統計量に基づいて決定するので、合理的な閾値設定により、一般カードの起動タイミングをより適切に制御することができる。これにより、実施形態５は、基地局装置１０Ｅにおいて、一般カードの起動枚数を低減し、消費電力の低減を実現できる。
【０１４０】
上記の実施形態で示した各処理を実行する各機能部は、例えば、ＮＷＰ、ＣＰＵ、ＭＰＵ、ＡＳＩＣ、ＦＰＧＡが所定プログラムを実行することにより実現されてもよい。ＭＰＵはMicro  Processing  Unitの略である。また、ＡＳＩＣはApplication  Specific  Integrated  Circuitの略であり、ＦＰＧＡはField  Programmable  gate  arrayの略である。
【０１４１】
また、上記の実施形態で示した各テーブルならびに各機能部の機能を実現する所定プログラムおよび所定データは、ＲＡＭ（Random  Access  Memory）もしくはフラッシュメモリ（Flash  Memory）に記憶されてもよい。または、上記の実施形態で示した各テーブルもしくは磁気ディスクもしくは光磁気ディスク等を記憶媒体とする記憶装置に記憶されてもよい。
【０１４２】
以上、本願の実施形態を説明したが、本発明の技術的範囲は上記の実施形態に記載された範囲に限定されない。上記の実施形態に多様な変更または改良を加えることが可能であることが当業者には明らかである。また、そのような変更または改良を加えた形態も本発明の技術的範囲に含まれ得る。
【符号の説明】
【０１４３】
１  アンテナ
１０Ａ、１０Ｂ、１０Ｃ、１０Ｄ、１０Ｅ    基地局装置
１１  無線送受信部
１２Ａ、１２Ｂ、１２Ｃ、１２Ｄ、１２Ｅ  呼処理部
１２ａ  サービス種別判定部
１２ｂ  呼制御部
１２ｃ  カード監視部
１２ｄ  カード枚数制御部
１２ｅ  新規処理呼割当制御部
１２ｆ  処理呼移動制御部
１２ｇ  閾値制御部
１３Ａ、１３Ｂ、１３Ｃ、１３Ｅ  記憶部
１３ａ  ＩＭＳＩ記憶テーブル
１３ｂ１、１３ｂ２  Ｍ２Ｍカード枚数制御テーブル
１３ｃ  処理呼増加率記憶テーブル
１４  伝送路送受信部
１５  信号処理部
１５ａ、１５ｂ、１５ｃ、１５ｄ、１５ｅ  カード
２０  上位装置
２１  ＨＳＳ
【図１Ａ】
0006497201.tif 000002
【図１Ｂ】
0006497201.tif 000003
【図１Ｃ】
0006497201.tif 000004
【図２】
0006497201.tif 000005
【図３】
0006497201.tif 000006
【図４】
0006497201.tif 000007
【図５】
0006497201.tif 000008
【図６Ａ】
0006497201.tif 000009
【図６Ｂ】
0006497201.tif 000010
【図７】
0006497201.tif 000011
【図８】
0006497201.tif 000012
【図９】
0006497201.tif 000013
【図１０】
0006497201.tif 000014
【図１１】
0006497201.tif 000015
【図１２】
0006497201.tif 000016
【図１３Ａ】
0006497201.tif 000017
【図１３Ｂ】
0006497201.tif 000018
【図１３Ｃ】
0006497201.tif 000019
【図１３Ｄ】
0006497201.tif 000020
【図１３Ｅ】
0006497201.tif 000021
【図１４】
0006497201.tif 000022
【図１５】
0006497201.tif 000023
【図１６Ａ】
0006497201.tif 000024
【図１６Ｂ】
0006497201.tif 000025
【図１７Ａ】
0006497201.tif 000026
【図１７Ｂ】
0006497201.tif 000027
【図１８Ａ】
0006497201.tif 000028
【図１８Ｂ】
0006497201.tif 000029